(57)【要約】  実施形態のイヤピース５は、振動膜９を支持するヨーク１０を有するスピーカ２を収容するケース３の外周全体をヨーク１０の軸線Ｃ１に直交する方向の外側から覆うとともに、使用状態で軸線Ｃ１に沿う方向から見て使用者の耳甲介腔１０１に面する耳珠１０２から対珠１０３に向けて延びる略長円形状を有する覆い部５０と、覆い部５０において振動膜９に面する部分から振動膜９のヨーク１０とは反対側へ向けて突出する筒状をなすとともに、スピーカ２によって発音された音を使用者の耳における外耳道１００に伝搬させるための音通筒体６０と、ケース３の外周部を支持可能に覆い部５０の内周からヨーク１０の振動膜９とは反対側へ向けて突出する環状をなす環状凸部７０と、を備える。
2020213029.tif 000002
【特許請求の範囲】
【請求項１】
振動膜を支持するヨークを有するスピーカを収容するケースの外周全体を前記ヨークの軸線に直交する方向の外側から覆うとともに、使用状態で前記軸線に沿う方向から見て使用者の耳甲介腔に面する耳珠から対珠に向けて延びる略長円形状を有する覆い部と、
前記覆い部において前記振動膜に面する部分から前記振動膜の前記ヨークとは反対側へ向けて突出する筒状をなすとともに、前記スピーカによって発音された音を使用者の耳における外耳道に伝搬させるための音通筒体と、
前記ケースの外周部を支持可能に前記覆い部の内周から前記ヨークの前記振動膜とは反対側へ向けて突出する環状をなす環状凸部と、を備えることを特徴とするフルカバー式イヤピース。
【請求項２】
前記音通筒体の先端部から前記覆い部へ向けて折り返された折り返し部を更に備え、
前記折り返し部は、前記外耳道に挿入可能なチューリップ型の形状を有することを特徴とする請求項１に記載のフルカバー式イヤピース。
【請求項３】
前記音通筒体は、
前記折り返し部が連結される第１音通部と、
前記覆い部において前記振動膜に面する部分と前記折り返し部と離反させるように前記第１音通部と前記覆い部とを連結する第２音通部と、を備えることを特徴とする請求項２に記載のフルカバー式イヤピース。
【請求項４】
前記第１音通部は円筒状を有し、
前記第１音通部の外径Ｄ１は６ｍｍ未満であり、
前記第１音通部の軸長さＬ１は６ｍｍ以上であり、
前記外径Ｄ１と前記軸長さＬ１との比Ｄ１／Ｌ１は１未満であることを特徴とする請求項３に記載のフルカバー式イヤピース。
【請求項５】
前記第１音通部は、断面視で楕円形状を有し、
前記楕円形状を有する前記第１音通部の断面積は、２８．３ｍｍ２未満であることを特徴とする請求項４に記載のフルカバー式イヤピース。
【請求項６】
前記第２音通部は、
前記第１音通部に連結される第１連結端部と、
前記覆い部に連結される第２連結端部と、を備え、
前記第２連結端部は、前記第１連結端部の外径よりも大きい外径を有し、
前記第２音通部は、前記第１連結端部から前記第２連結端部に近づくに従って漸次拡径していることを特徴とする請求項３から５のいずれか一項に記載のフルカバー式イヤピース。
【請求項７】
前記覆い部は、前記音通筒体に連なるように前記ケースの外周近傍に形成され、前記音通筒体とは反対側の部分において、前記ケースとは反対側に向けて凸の湾曲状をなすとともに、前記耳珠に当接するための耳珠当接部を備えることを特徴とする請求項１から６のいずれか一項に記載のフルカバー式イヤピース。
【請求項８】
前記覆い部は、前記ケースを挟んで前記耳珠当接部とは反対側に形成され、前記ケースとは反対側に向けて凸の湾曲状をなして膨出するとともに、前記対珠に連なる耳甲介に当接するための耳甲介当接部を更に備えることを特徴とする請求項７に記載のフルカバー式イヤピース。
【請求項９】
前記軸線に沿う方向から見て、前記略長円形状を有する前記覆い部の長軸の長さは、１５．５ｍｍ以上１７．５ｍｍ以下であることを特徴とする請求項１から８のいずれか一項に記載のフルカバー式イヤピース。
【請求項１０】
前記覆い部、前記音通筒体および前記環状凸部は、同一の弾性材料で一体に形成されていることを特徴とする請求項１から９のいずれか一項に記載のフルカバー式イヤピース。
【請求項１１】
前記弾性材料は、シリコーンゴムであることを特徴とする請求項１０に記載のフルカバー式イヤピース。
【請求項１２】
振動膜と、前記振動膜を支持するヨークと、を有し、前記振動膜の振動によって発音するスピーカと、
前記スピーカを収容するケースと、
請求項１から１１のいずれか一項に記載のフルカバー式イヤピースと、を備えることを特徴とするイヤホン。
【請求項１３】
前記ケースは、
前記ケースの内周側に位置する内ケースと、
前記内ケースに対し前記軸線の周りに相対的に回転可能に前記内ケースの外周部を支持する外ケースと、を備えることを特徴とする請求項１２に記載のイヤホン。
【請求項１４】
前記ケースは、前記ケースにおいて前記振動膜に面する部分から前記振動膜の前記ヨークとは反対側へ向けて突出する筒状をなすとともに、前記音通筒体の基端部を支持するステムを備えることを特徴とする請求項１２または１３に記載のイヤホン。
【請求項１５】
前記フルカバー式イヤピースは、前記ケースに着脱可能に装着されるための開口部を有し、
前記軸線に沿う方向から見て、前記開口部は前記ケースの外形よりも小さいことを特徴とする請求項１２から１４のいずれか一項に記載のイヤホン。
【発明の詳細な説明】
【技術分野】
【０００１】
本発明は、フルカバー式イヤピース及びそれを備えたイヤホンに関する。
【背景技術】
【０００２】
従来、イヤホンを使用者の耳の外耳道に挿入して使用するカナル型イヤホンが知られている。例えば、特許文献１には、外耳道に挿入可能なイヤーチップから延在する封止鍔部を備えた構造が開示されている。特許文献１では、イヤホンを使用する際、外耳道と耳甲介との間の遷移部の縁部に封止鍔部を接触させることによって、耳の外側の空間から外耳道を封止している。
【先行技術文献】
【特許文献】
【０００３】
【特許文献１】特表２０１７−５０９２８４号公報
【発明の概要】
【発明が解決しようとする課題】
【０００４】
ところで、このようなイヤホンにおいては、イヤホン使用時の封止性能のみならず、装着安定性を向上することが望まれている。【０００５】
そこで本発明は、フルカバー式イヤピース及びそれを備えたイヤホンにおいて、装着安定性を向上することを目的とする。
【課題を解決するための手段】
【０００６】
上記課題の解決手段として、本発明の態様は以下の構成を有する。
（１）本発明の態様に係るフルカバー式イヤピースは、振動膜を支持するヨークを有するスピーカを収容するケースの外周全体を前記ヨークの軸線に直交する方向の外側から覆うとともに、使用状態で前記軸線に沿う方向から見て使用者の耳甲介腔に面する耳珠から対珠に向けて延びる略長円形状を有する覆い部と、前記覆い部において前記振動膜に面する部分から前記振動膜の前記ヨークとは反対側へ向けて突出する筒状をなすとともに、前記スピーカによって発音された音を使用者の耳における外耳道に伝搬させるための音通筒体と、前記ケースの外周部を支持可能に前記覆い部の内周から前記ヨークの前記振動膜とは反対側へ向けて突出する環状をなす環状凸部と、を備える。
ここで、長円形状は、互いに平行な２つの線分と各線分の両端に接続された２つの円弧とを有する形状を意味する。なお、略長円形状には、楕円形状（平面上のある２定点からの距離の和が一定となるような点の軌跡からなる曲線）が含まれる。【０００７】
（２）上記（１）に記載のフルカバー式イヤピースでは、前記音通筒体の先端部から前記覆い部へ向けて折り返された折り返し部を更に備え、前記折り返し部は、前記外耳道に挿入可能なチューリップ型の形状を有してもよい。【０００８】
（３）上記（２）に記載のフルカバー式イヤピースでは、前記音通筒体は、前記折り返し部が連結される第１音通部と、前記覆い部において前記振動膜に面する部分と前記折り返し部と離反させるように前記第１音通部と前記覆い部とを連結する第２音通部と、を備えてもよい。【０００９】
（４）上記（３）に記載のフルカバー式イヤピースでは、前記第１音通部は円筒状を有し、前記第１音通部の外径Ｄ１は６ｍｍ未満であり、前記第１音通部の軸長さＬ１は６ｍｍ以上であり、前記外径Ｄ１と前記軸長さＬ１との比Ｄ１／Ｌ１は１未満であってもよい。【００１０】
（５）上記（４）に記載のフルカバー式イヤピースでは、前記第１音通部は、断面視で楕円形状を有し、前記楕円形状を有する前記第１音通部の断面積は、２８．３ｍｍ２未満であってもよい。【００１１】
（６）上記（３）から（５）のいずれか一項に記載のフルカバー式イヤピースでは、前記第２音通部は、前記第１音通部に連結される第１連結端部と、前記覆い部に連結される第２連結端部と、を備え、前記第２連結端部は、前記第１連結端部の外径よりも大きい外径を有し、前記第２音通部は、前記第１連結端部から前記第２連結端部に近づくに従って漸次拡径していてもよい。【００１２】
（７）上記（１）から（６）のいずれか一項に記載のフルカバー式イヤピースでは、前記覆い部は、前記音通筒体に連なるように前記ケースの外周近傍に形成され、前記音通筒体とは反対側の部分において、前記ケースとは反対側に向けて凸の湾曲状をなすとともに、前記耳珠に当接するための耳珠当接部を備えてもよい。【００１３】
（８）上記（７）に記載のフルカバー式イヤピースでは、前記覆い部は、前記ケースを挟んで前記耳珠当接部とは反対側に形成され、前記ケースとは反対側に向けて凸の湾曲状をなして膨出するとともに、前記対珠に連なる耳甲介に当接するための耳甲介当接部を更に備えてもよい。【００１４】
（９）上記（１）から（８）のいずれか一項に記載のフルカバー式イヤピースでは、前記軸線に沿う方向から見て、前記略長円形状を有する前記覆い部の長軸の長さは、１５．５ｍｍ以上１７．５ｍｍ以下であってもよい。【００１５】
（１０）上記（１）から（９）のいずれか一項に記載のフルカバー式イヤピースでは、前記覆い部、前記音通筒体および前記環状凸部は、同一の弾性材料で一体に形成されていてもよい。【００１６】
（１１）上記（１０）に記載のフルカバー式イヤピースでは、前記弾性材料は、シリコーンゴムであってもよい。【００１７】
（１２）本発明の態様に係るイヤホンは、振動膜と、前記振動膜を支持するヨークと、を有し、前記振動膜の振動によって発音するスピーカと、前記スピーカを収容するケースと、上記のフルカバー式イヤピースと、を備える。【００１８】
（１３）上記（１２）に記載のイヤホンでは、前記ケースは、前記ケースの内周側に位置する内ケースと、前記内ケースに対し前記軸線の周りに相対的に回転可能に前記内ケースの外周部を支持する外ケースと、を備えてもよい。【００１９】
（１４）上記（１２）または（１３）に記載のイヤホンでは、前記ケースは、前記ケースにおいて前記振動膜に面する部分から前記振動膜の前記ヨークとは反対側へ向けて突出する筒状をなすとともに、前記音通筒体の基端部を支持するステムを備えてもよい。【００２０】
（１５）上記（１２）から（１４）のいずれか一項に記載のイヤホンでは、前記フルカバー式イヤピースは、前記ケースに着脱可能に装着されるための開口部を有し、前記軸線に沿う方向から見て、前記開口部は前記ケースの外形よりも小さくてもよい。
【発明の効果】
【００２１】
本発明の上記（１）に記載のフルカバー式イヤピースによれば、スピーカを収容するケースの外周全体をヨークの軸線に直交する方向の外側から覆うとともに、使用状態で軸線に沿う方向から見て使用者の耳甲介腔に面する耳珠から対珠に向けて延びる略長円形状を有する覆い部を備えることで、以下の効果を奏する。
覆い部によってケースの外周全体が覆われるため、イヤピースの使用時（耳へのイヤピースの装着時）、イヤピースの耳当たりがソフトになる。加えて、覆い部が使用状態で耳珠から対珠に向けて延びる略長円形状を有するため、覆い部の長軸端部を耳珠側および対珠側で支持しやすい。したがって、装着安定性を向上することができる。
加えて、コードの縦方向の振動ノイズ（コードを長手方向に擦ることにより発生するノイズ）およびコードの横方向の振動ノイズ（コードを振って服などに当たることにより発生するノイズ）を含めてコードから伝わるノイズを６〜１２ｄＢ（１／２〜１／４）ほど低減することができる。
加えて、ケースの外周部を支持可能に覆い部の内周からヨークの振動膜とは反対側へ向けて突出する環状をなす環状凸部を備えることで、以下の効果を奏する。
環状凸部によってケースの外周全体が支持されるため、ケースと環状凸部との間に隙間が生じることを抑制することができ、音漏れを抑制することができる。
なお、覆い部は、使用状態で軸線に沿う方向から見て使用者の耳甲介腔に面する耳珠から対珠に向けて延びる長円形状を有することが好ましい。覆い部が長円形状の方が、装着安定性の面で楕円形状よりも若干有利になる場合がある。【００２２】
本発明の上記（２）に記載のフルカバー式イヤピースによれば、音通筒体の先端部から覆い部へ向けて折り返された折り返し部を更に備え、折り返し部は、外耳道に挿入可能なチューリップ型の形状を有することで、以下の効果を奏する。
イヤピースの使用時、折り返し部が耳に柔軟に接触するため、装着安定性をより一層向上することができる。加えて、折り返し部によって外耳道が閉塞されるため、耳の外側の空間から外耳道を封止することができる。【００２３】
本発明の上記（３）に記載のフルカバー式イヤピースによれば、音通筒体は、折り返し部が連結される第１音通部と、覆い部において振動膜に面する部分と折り返し部と離反させるように第１音通部と覆い部とを連結する第２音通部と、を備えることで、以下の効果を奏する。
通常のイヤピースは音通筒体に外す方向の力が加わった場合、動作点（力が作用する点）と固定点（音通筒体の基端）との距離が近く、イヤピースが外れ易い傾向にある。これに対しこの構成によれば、第２音通部の長さ分だけ動作点と固定点との距離が長いため、イヤピースを外れ難くすることができる。加えて、イヤピースの使用時、第２音通部の長さ分だけ第１音通部を外耳道の奥へ入り込ませることができるため、外部雑音の侵入を抑制することができる。【００２４】
本発明の上記（４）に記載のフルカバー式イヤピースによれば、第１音通部は円筒状を有し、前記第１音通部の外径Ｄ１は６ｍｍ未満であり、前記第１音通部の軸長さＬ１は６ｍｍ以上であり、前記外径Ｄ１と前記軸長さＬ１との比Ｄ１／Ｌ１は１未満であることで、以下の効果を奏する。
第１音通部の外径が６ｍｍ以上の場合と比較して、第１音通部を外耳道へ挿入し易くすることができる。加えて、第１音通部の軸長さが６ｍｍ未満の場合と比較して、第１音通部を外耳道へ挿入する際の柔軟性を高めることができる。加えて、比Ｄ１／Ｌ１が１以上の場合と比較して、第１音通部を外耳道へ挿入する際の容易性および柔軟性を高めることができる。加えて、長時間使用した場合の外耳道への圧迫感による痛みの軽減に効果がある。【００２５】
本発明の上記（５）に記載のフルカバー式イヤピースによれば、第１音通部は、断面視で楕円形状を有し、楕円形状を有する第１音通部の断面積は、２８．３ｍｍ２未満であることで、以下の効果を奏する。
第１音通部が断面視で真円形状を有する場合と比較して、装着安定性をより一層向上することができる。第１音通部が断面視で楕円形状を有する場合、一般的な外耳道の形状に合うため、外耳道への圧迫感を軽減することができる。
なお、第１音通部が断面視で楕円形状を有する場合、上記の断面積２８．３ｍｍ２未満を優先し、楕円の直径は６ｍｍ以上であってもよい。【００２６】
本発明の上記（６）に記載のフルカバー式イヤピースによれば、第２音通部は、第１音通部に連結される第１連結端部と、覆い部に連結される第２連結端部と、を備え、第２連結端部は、第１連結端部の外径よりも大きい外径を有し、第２音通部は、第１連結端部から第２連結端部に近づくに従って漸次拡径していることで、以下の効果を奏する。
イヤピースの使用時、第１音通部を外耳道の奥へ入り込ませつつ、第２音通部を外耳道の入口近傍の広い範囲で介在させることができるため、外部雑音の侵入を抑制することができる。【００２７】
本発明の上記（７）に記載のフルカバー式イヤピースによれば、覆い部は、音通筒体に連なるようにケースの外周近傍に形成され、音通筒体とは反対側の部分において、ケースとは反対側に向けて凸の湾曲状をなすとともに、耳珠に当接するための耳珠当接部を備えることで、以下の効果を奏する。
イヤピースの使用時、耳珠当接部を耳珠に広い範囲で接触させやすいため、形状的に耳珠部に固定しやすく、装着安定性を向上することができる。例えば、イヤピースが弾性材料で形成されている場合、耳への圧迫を抑え且つ滑りにくいため、装着安定性を更に向上することができる。【００２８】
本発明の上記（８）に記載のフルカバー式イヤピースによれば、覆い部は、ケースを挟んで耳珠当接部とは反対側に形成され、ケースとは反対側に向けて凸の湾曲状をなして膨出するとともに、対珠に連なる耳甲介に当接するための耳甲介当接部を更に備えることで、以下の効果を奏する。
イヤピースの使用時、耳珠当接部を耳珠に当接させつつ、耳甲介当接部を耳甲介に広い範囲で接触させやすいため、装着安定性を更に向上することができる。【００２９】
本発明の上記（９）に記載のフルカバー式イヤピースによれば、軸線に沿う方向から見て、略長円形状を有する覆い部の長軸の長さは、１５．５ｍｍ以上１７．５ｍｍ以下であることで、以下の効果を奏する。
略長円形状を有する覆い部の長軸の長さが１５．５ｍｍ未満または１７．５ｍｍ超過の場合と比較して、装着安定性をより一層向上することができる。加えて、一般的な耳甲介腔の大きさに合うため、耳甲介腔の隙間を可及的に小さくすることができる。そのため、イヤピースが外耳道から抜けにくくなり、密閉状態を持続することができる。【００３０】
本発明の上記（１０）に記載のフルカバー式イヤピースによれば、覆い部、音通筒体および環状凸部は、同一の弾性材料で一体に形成されていることで、以下の効果を奏する。
イヤピースの使用時、耳珠、対珠および耳甲介の形状に沿うようにイヤピースを弾性変形させることができるため、装着安定性をより一層向上させることができる。加えて、覆い部、音通筒体および環状凸部が別個に形成されている場合と比較して、イヤピースの製造効率を向上することができる。【００３１】
本発明の上記（１１）に記載のフルカバー式イヤピースによれば、弾性材料は、シリコーンゴムであることで、以下の効果を奏する。
シリコーンゴムは、生体適合性、耐熱性、耐薬品性、撥水性、電気絶縁性などに優れているため、弾性材料として好適である。【００３２】
本発明の上記（１２）に記載のイヤホンによれば、振動膜と、前記振動膜を支持するヨークと、を有し、前記振動膜の振動によって発音するスピーカと、前記スピーカを収容するケースと、上記のフルカバー式イヤピースと、を備えることで、以下の効果を奏する。
装着安定性を向上することができるイヤホンを提供することができる。加えて、コードから伝わるノイズを低減するとともに、音漏れを抑制することができる。【００３３】
本発明の上記（１３）に記載のイヤホンによれば、ケースは、ケースの内周側に位置する内ケースと、内ケースに対し軸線の周りに相対的に回転可能に内ケースの外周部を支持する外ケースと、を備えることで、以下の効果を奏する。
内ケースと外ケースとを任意の角度で回転させることができるため、ケースに設けられているコード出口部を任意の角度で設定することができる。そのため、使用者の耳に対してコードを下側に出したり、耳たぶに掛けたりする等、任意の使用方法に対応することが可能となる。加えて、耳の形状の個人差に対応することが可能となる。例えば、コードを耳たぶに掛けて使用する場合、コードの振動ノイズは縦方向および横方向とも大幅に減少することが知られているが、使い勝手が悪くなることがある。このように使用者の好みに応じて容易に使い分けが可能である。【００３４】
本発明の上記（１４）に記載のイヤホンによれば、ケースは、前記ケースにおいて前記振動膜に面する部分から前記振動膜の前記ヨークとは反対側へ向けて突出する筒状をなすとともに、前記音通筒体の基端部を支持するステムを備えることで、以下の効果を奏する。
ステムによって音通筒体の基端部をしっかりと支持することができるため、耳へのイヤピースの装着時に音通筒体の基端部が曲がることを抑制することができる。したがって、装着安定性をより一層向上することができる。【００３５】
本発明の上記（１５）に記載のイヤホンによれば、フルカバー式イヤピースは、ケースに着脱可能に装着されるための開口部を有し、軸線に沿う方向から見て、開口部は前記ケースの外形よりも小さいことで、以下の効果を奏する。
イヤピースの開口部とケースとが密着するため、音漏れの原因となる隙間が生じることを抑制することができる。
【図面の簡単な説明】
【００３６】
【図１】第１実施形態に係るイヤホンの斜視図である。
【図２】第１実施形態に係るイヤホンの背面図である。
【図３】第１実施形態に係るイヤホンの第１側面図である。
【図４】第１実施形態に係るイヤホンの第２側面図である。
【図５】図４のＶ−Ｖ断面図である。
【図６】図２のＶＩ−ＶＩ断面図である。
【図７】図５のＶＩＩ−ＶＩＩ断面図である。
【図８】第１実施形態に係るイヤピースの側面図である。
【図９】第１実施形態に係るイヤピースの背面図である。
【図１０】第１実施形態に係るステムの斜視図である。
【図１１】第１実施形態に係るイヤホンの使用状態の説明図である。
【図１２】比較例に係るイヤホンの使用状態の説明図である。
【図１３】第１実施形態の変形例に係る音通筒体の図７に相当する断面図である。
【図１４】第２実施形態に係るイヤホンの図５に相当する断面図である。
【図１５】第２実施形態に係る外ケースの回転動作の説明図である。
【図１６】第２実施形態に係るイヤホンを左耳へ装着した状態の一例を示す図である。
【図１７】第２実施形態に係るイヤホンを左耳へ装着した状態の他の例を示す図である。
【発明を実施するための形態】
【００３７】
以下、本発明の実施形態について図面を参照して説明する。各図において、同一構成については同一の符号を付す。実施形態においては、イヤホンを使用者の耳の外耳道に挿入して使用するカナル型イヤホンについて説明する。以下、カナル型イヤホンを単に「イヤホン」ともいう。実施形態においては、左耳用のイヤホンについて説明する。
【００３８】
＜第１実施形態＞
＜イヤホン全体＞
図１は、第１実施形態に係るイヤホンの斜視図である。図２は、第１実施形態に係るイヤホンの背面図である。図３は、第１実施形態に係るイヤホンの第１側面図である。図４は、第１実施形態に係るイヤホンの第２側面図である。図５は、図４のＶ−Ｖ断面図である。図６は、図２のＶＩ−ＶＩ断面図である。
図１に示すように、イヤホン１は、スピーカ２（図６参照）と、スピーカ２を収容するケース３と、コード４０を保持する保持筒体４と、イヤピース５（フルカバー式イヤピース）と、を備える。
【００３９】
＜スピーカ＞
図６に示すように、スピーカ２は、振動膜９と、振動膜９を支持するヨーク１０と、を備える。スピーカ２は、振動膜９の振動によって発音する。例えば、スピーカ単体の最低共振周波数（ｆ０）は、４００Ｈｚ以上に設定されている。
ヨーク１０は、円筒状の筒壁部１１を有するカップ状をなしている。以下、ヨーク１０の軸線Ｃ１に沿う方向を「軸方向」、軸線Ｃ１に直交する方向を「径方向」、軸線Ｃ１周りの方向を「周方向」とする。
【００４０】
例えば、ヨーク１０は、磁性材料で形成されている。ヨーク１０は、筒壁部１１、フランジ部１２および底部１３を備える。
フランジ部１２は、筒壁部１１の第１端部（開放端部）に結合されている。フランジ部１２は、筒壁部１１の外径よりも大きい環状を有する。フランジ部１２は、筒壁部１１と同軸に設けられている。フランジ部１２の外周縁部は、筒壁部１１の第１端部から離れる方向にオフセットしている。
底部１３は、筒壁部１１の第２端部（軸方向で開放端部とは反対側の端部）に結合されている。底部１３は、筒壁部１１と同軸に設けられた貫通孔１３ａを有する。
【００４１】
例えば、振動膜９は、絶縁性を有するフィルム材料で形成されている。振動膜９は、筒壁部１１の外径よりも大きい円盤状を有する。振動膜９の中央部９ａは、ドーム状に膨らんでいる。振動膜９の外周部９ｂは、中央部９ａよりも小さく膨らんでいる。振動膜９は、空間を介してヨーク１０を覆っている。振動膜９の外周縁部は、全周にわたってヨーク１０のフランジ部１２に接着されている。図中符号９ｃは、振動膜９において中央部９ａと外周部９ｂとの間に位置する環状の境界部を示す。
【００４２】
スピーカ２は、マグネット１４およびコイル１５を更に備える。
マグネット１４は、ヨーク１０内に収容されている。マグネット１４は、筒壁部１１と同軸の円筒状を有する。マグネット１４は、底部１３の貫通孔１３ａと実質的に同じ大きさの中空部１４ａを有する。マグネット１４は、中空部１４ａを底部１３の貫通孔１３ａに揃えるようにして底部１３の第１面に配置されている。マグネット１４は、底部１３の第１面から筒壁部１１の第１端部まで延びている。
【００４３】
コイル１５は、導線を円筒状に巻いて一体化したものである。コイル１５は、振動膜９の第２面（ヨーク１０と対向する面）に固定されている。軸方向から見て、コイル１５は、振動膜９における境界部９ｃと重なっている。コイル１５は、振動膜９の中央部９ａを囲むように配置されている。コイル１５は、ヨーク１０の筒壁部１１およびマグネット１４のそれぞれと間隔をあけて径方向で対向している。
コイル１５からは、リード線（不図示）が引き出されている。リード線は、マグネット１４の中空部１４ａを介して、底部１３の第２面側の端子部１６に接続されている。
【００４４】
＜ケース＞
ケース３は、スピーカ２を振動膜９の側から覆う第１カバー２０と、スピーカ２をヨーク１０の側から覆う第２カバー３０と、を備える。例えば、ケース３（第１カバー２０および第２カバー３０）は、合成樹脂で形成されている。
【００４５】
第１カバー２０は、軸方向から見て円形状の外縁を有する（図１０参照）。第１カバー２０は、全体的に扁平に形成されている。第１カバー２０は、ヨーク１０の径方向外側から振動膜９のヨーク１０とは反対側にかけてスピーカ２を覆うドーム状をなしている。例えば、第１カバー２０は、接着剤などで第２カバー３０に固定されている。
【００４６】
図５に示すように、第１カバー２０は、スピーカ２の外周全体を径方向外側から覆うカバー本体２１と、カバー本体２１において振動膜９に面する部分から振動膜９のヨーク１０とは反対側へ向けて突出する筒状をなすステム２２と、カバー本体２１の内周からヨーク１０の振動膜９とは反対側へ向けて突出する環状をなす環状部２３と、を備える。カバー本体２１、ステム２２および環状部２３は、同一の合成樹脂で一体に形成されている。
【００４７】
カバー本体２１は、環状部２３との間で段部２４を形成するように環状部２３に連結されている。段部２４は、カバー本体２１の全周にわたって形成されている。
ステム２２は、音通筒体６０の基部を支持している。ステム２２は、音通筒体６０の基部内面に当接している。ステム２２は、ケース３において振動膜９の外縁近傍に形成されている。ステム２２は、ケース３の外側に向けて軸線Ｃ１と交差するように斜めに突出している。ステム２２は、ケース３の内外を連通する音通孔２２ａを有する。ステム２２は、カバー本体２１から離れるに従って漸次縮径している。
環状部２３は、スピーカ２の外周部を支持している。環状部２３は、軸方向から見てカバー本体２１よりも小さい真円形状の外縁を有する。環状部２３の突出端は、ヨーク１０の軸方向中央近傍に位置している（図６参照）。
【００４８】
第２カバー３０は、ヨーク１０の径方向外側からヨーク１０の振動膜９とは反対側へ向けて延びる有底筒状をなしている。第２カバー３０は、軸方向から見て音通側カバー２０よりも小さい真円形状の外縁を有する（図２参照）。
【００４９】
図６に示すように、第２カバー３０は、ヨーク１０を収容するヨーク収容部３１と、保持筒体４の基部３９を収容する筒体基部収容部３２と、保持筒体４が挿通される筒体挿通孔３３と、スピーカ２の背圧を逃がすための制動孔３４と、を有する。ヨーク収容部３１および筒体基部収容部３２は、同一の合成樹脂で一体に形成されている。
例えば、音響特性を纏める観点から、制動孔３４が開放されている場合には、ヨーク１０の底部１３の貫通孔１３ａは音響制動部材によって塞がれる。
【００５０】
ヨーク収容部３１は、第２カバー３０の第１端部寄りに配置されている。ヨーク収容部３１は、第１カバー２０の環状部２３を取り付けるための環状凹部３１ａを有する。環状凹部３１ａは、ヨーク収容部３１の第１端部の外周全体にわたって形成されている。環状凹部３１ａの深さ（径方向の長さ）は、環状部２３の厚さ（径方向の長さ）と実質的に同じである。第１カバー２０と第２カバー３０との取り付け状態において、環状部２３の外周面とヨーク収容部３１の外周面（環状凹部３１ａを除いた最外周面）とは、実質的に同じ径方向位置にある。
【００５１】
筒体基部収容部３２は、第２カバー３０の第２端部寄りに配置されている。
軸方向においてヨーク収容部３１と筒体基部収容部３２との間には、音声信号を供給するための配線４１が引き回されている。筒体基部収容部３２は、軸方向から見てヨーク収容部３１よりも小さい真円形状の外縁を有する（図２参照）。
【００５２】
＜保持筒体＞
図６に示すように、保持筒体４は、第２カバー３０に結合されている。保持筒体４は、ヨーク１０の軸線Ｃ１と実質的に直交する方向（図６の紙面下方向）に向けて延在している。保持筒体４には、電子機器（不図示）に接続されるコード４０が挿通されている。コード４０は、保持筒体４の基部３９内で抜け防止用に結び目４０ａが形成されている。コード４０には、スピーカ２に音声信号を供給するための配線４１が内蔵されている。配線４１は、底部１３の第２面側の端子部１６に接続されている。
【００５３】
例えば、電子機器からコード４０を介して音声信号が供給されると、リード線を介して音声信号がコイル１５に供給される。すると、コイル１５が変位することにより、振動膜９が振動する。これにより、スピーカ２が発音する。スピーカ２によって発音された音は、音通孔６０ａ（図５参照）を通じて使用者の耳における外耳道１００へ伝搬される（図１１参照）。
【００５４】
＜イヤピース＞
イヤピース５は、弾性材料で形成されている。例えば、イヤピース５は、シリコーンゴムで形成されている。イヤピース５は、ケース３よりも剛性が低い。イヤピース５は、ケース３の外周を全体的に覆うフルカバー式イヤピースである。
【００５５】
図５に示すように、イヤピース５は、ケース３を覆う覆い部５０と、覆い部５０の一方から突出する音通筒体６０と、覆い部５０の他方から突出する環状凸部７０と、音通筒体６０の先端部から折り返された折り返し部８０と、を備える。覆い部５０、音通筒体６０、環状凸部７０および折り返し部８０は、同一の弾性材料（例えばシリコーンゴム）で一体に形成されている（図８参照）。
【００５６】
覆い部５０は、ケース３の外周全体を径方向外側から覆っている。覆い部５０は、ケース３（カバー本体２１）の径方向外側から振動膜９のヨーク１０とは反対側にかけてケース３を覆うドーム状をなしている。覆い部５０は、軸方向から見て長円形状の外縁を有する（図２参照）。音通筒体６０を使用者の外耳道１００に挿入した使用状態で、覆い部５０は、使用者の耳甲介腔１０１に面する耳珠１０２から対珠１０３に向けて延びる長円形状を有する（図１１参照）。例えば、覆い部５０の長軸の長さＨ１（図２参照）は、１５．５ｍｍ以上１７．５ｍｍ以下に設定される。本実施形態において、覆い部５０の長軸の長さＨ１は、１６.５ｍｍである。
【００５７】
覆い部５０は、使用者の耳甲介腔１０１に面する耳珠１０２に当接するための耳珠当接部５１と、耳甲介腔１０１に面する対珠１０３に連なる耳甲介１０４に当接するための耳甲介当接部５２と、を備える（図１１参照）。覆い部５０は、耳珠当接部５１よりも耳甲介当接部５２において肉厚（覆い部５０の径方向の厚み）が大きくなるように形成されている。
【００５８】
耳珠当接部５１は、音通筒体６０に連なるようにケース３（カバー本体２１）の外周近傍に形成されている。耳珠当接部５１は、軸方向で音通筒体６０とは反対側の部分において、ケース３とは反対側に向けて凸の湾曲状をなしている。
耳甲介当接部５２は、ケース３を挟んで耳珠当接部５１とは反対側に形成されている。耳甲介当接部５２は、ケース３とは反対側に向けて凸の湾曲状をなして膨出している。
【００５９】
音通筒体６０は、覆い部５０において振動膜９に面する部分（具体的にはカバー本体２１に面する部分）から振動膜９のヨーク１０とは反対側へ向けて突出する筒状をなしている。音通筒体６０は、スピーカ２によって発音された音を使用者の耳における外耳道１００に伝搬させる機能を有する（図１１参照）。
【００６０】
音通筒体６０は、折り返し部８０が連結される第１音通部６１と、覆い部５０において振動膜９に面する部分（具体的にはカバー本体２１に面する部分）と折り返し部８０とを離反させるように第１音通部６１と覆い部５０とを連結する第２音通部６２と、を備える。第１音通部６１および第２音通部６２は、同一の部材で一体に形成されている。
【００６１】
第１音通部６１は、円筒状を有する。第１音通部６１は、第１音通部６１の延在方向（音通筒体６０の軸線Ｃ２）と直交する断面視で真円形状を有する（図７参照）。第１音通部６１の外径Ｄ１は、６ｍｍ未満である。第１音通部６１の軸長さＬ１は、６ｍｍ以上である。第１音通部６１の外径Ｄ１と軸長さＬ１との比Ｄ１／Ｌ１は、１未満である。例えばＳサイズの場合、第１音通部６１の外径Ｄ１は４．８ｍｍ、軸長さＬ１は９．４ｍｍ、比Ｄ１／Ｌ１は０．５１に設定される。例えば、ＸＳサイズの場合、第１音通部６１の外径Ｄ１は４．８ｍｍ、軸長さＬ１は８．７ｍｍ、比Ｄ１／Ｌ１は０．５５に設定される。
【００６２】
第２音通部６２は、第１音通部６１に連結される第１連結端部６２ａと、覆い部５０に連結される第２連結端部６２ｂと、を備える。第２連結端部６２ｂは、第１連結端部６２ａの外径よりも大きい外径を有する。第２音通部６２は、第１連結端部６２ａから第２連結端部６２ｂに近づくに従って漸次拡径している。第２音通部６２は、第１連結端部６２ａから第２連結端部６２ｂに近づくに従ってヨーク１０の軸線Ｃ１に近接するように傾斜するテーパ状をなしている。
【００６３】
音通筒体６０は、イヤピース５において軸方向で振動膜９の半体と重なるように形成されている。音通筒体６０は、イヤピース５の外側に向けてヨーク１０の軸線Ｃ１と交差するように斜めに突出している。音通筒体６０には、イヤピース５の内部空間と外部空間とを連通する音通孔６０ａが形成されている。
【００６４】
音通筒体６０を外耳道１００に挿入した使用状態において、音通筒体６０は、ヨーク１０の軸線Ｃ１においてイヤホン１と重なる部分Ｃ１０よりも耳珠１０２の側にオフセットしている（図１１参照）。ヨーク１０の軸線Ｃ１においてイヤホン１と重なる部分Ｃ１０は、軸線Ｃ１において覆い部５０の先端と第２カバー３０の基端との間の部分を意味する。音通筒体６０は、耳珠１０２から外耳道１００に向けて傾斜して延びている（図１１参照）。
【００６５】
音通筒体６０が耳珠１０２から外耳道１００に向けて傾斜して延びる方向において、音通筒体６０の軸線Ｃ２とヨーク１０の軸線Ｃ１とのなす角度をＡとする。例えば、角度Ａは、２度以上１２度以下に設定される。本実施形態において、角度Ａは、７度程度である。
【００６６】
環状凸部７０は、ケース３の外周部を支持可能に覆い部５０の内周からヨーク１０の振動膜９とは反対側へ向けて突出する環状をなしている。軸方向でヨーク１０の振動膜９（振動膜９を支持する部分）とは反対側から見て（以下「背面視」ともいう）、環状凸部７０は、覆い部５０よりも小さい真円形状の外縁を有する（図２参照）。
【００６７】
環状凸部７０は、ケース３に着脱可能に装着されるための開口部７１を有する。軸方向から見て、開口部７１はケース３（カバー本体２１）の外形よりも小さい。開口部７１は、イヤピース５の弾性変形により第１カバー２０を覆い部５０内に挿入可能かつ覆い部５０内から第１カバー２０を取り出し可能な大きさを有する。環状凸部７０の突出端は、第２カバー３０のヨーク収容部３１の軸方向端部近傍（筒体基部収容部３２寄りの部分）に位置している。
【００６８】
折り返し部８０は、音通筒体６０の先端部から覆い部５０へ向けて折り返されている。折り返し部８０は、外耳道１００に挿入可能なチューリップ型を有する。折り返し部８０は、音通筒体６０の先端部から覆い部５０に近づくに従って漸次拡径する第１筒部８１と、第１筒部８１において覆い部５０側の端部から覆い部５０に近づくに従って漸次縮径する第２筒部８２と、を備える。
【００６９】
＜作用＞
以下、本実施形態のイヤホン１の作用について説明する。
図１１は、第１実施形態に係るイヤホン１の使用状態の説明図である。図１２は、比較例に係るイヤホン１Ｘの使用状態の説明図である。
まず、比較例について説明する。
図１２に示すように、比較例に係るイヤホン１Ｘは、使用者の耳珠１０２、対珠１０３、耳甲介１０４で囲まれた耳甲介腔１０１内に、振動膜９Ｘを耳甲介１０４に近接させるようにしてケース３Ｘを挿入する構成を有する。比較例では、耳甲介腔１０１から鼓膜へ延びる外耳道１００内へ、ヨーク１０Ｘの軸線に対して斜めに突設させた音通筒体４Ｘを挿入する。音通筒体４Ｘには、可撓性を有するイヤーチップ７Ｘが嵌められている。イヤーチップ７Ｘは、外耳道１００の内壁に弾性的に当接する。ケース３Ｘは、耳へ直接的に触れている。
【００７０】
次に、本実施形態について図１１を参照して説明する。
本実施形態においては、覆い部５０によってケース３（第２カバー３０を除く部分）の外周全体が覆われるため、イヤホン１の使用時（耳へのイヤホン１の装着時）、ケース３は耳へ直接的には触れず、ケース３よりも剛性が低いイヤピース５が耳へ接触する。そのため、比較例よりもイヤホン１の耳当たりをソフトにすることができる。加えて、覆い部５０が使用状態で耳珠１０２から対珠１０３に向けて延びる長円形状を有するため、一般的な耳甲介腔１０１の形状に合わせることができ、覆い部５０の長軸端部を耳珠１０２側および対珠１０３側で支持しやすい。
加えて、イヤホン１を使用する際、第２音通部６２の長さ分だけ、音通筒体６０を外耳道１００の奥へ入り込ませることができる。そのため、比較例よりも外耳道１００の奥の部分で折り返し部８０を当接させることができる。
更に、本実施形態においては、イヤホン１を使用する際、耳珠当接部５１の段部５３を耳珠１０２でおさえることができる。そのため、比較例よりもイヤホン１を外れにくくすることができる。
【００７１】
以上説明したように、上記実施形態におけるイヤピース５は、振動膜９を支持するヨーク１０を有するスピーカ２を収容するケース３の外周全体をヨーク１０の軸線Ｃ１に直交する方向の外側から覆うとともに、使用状態で軸線Ｃ１に沿う方向から見て使用者の耳甲介腔１０１に面する耳珠１０２から対珠１０３に向けて延びる長円形状を有する覆い部５０と、覆い部５０において振動膜９に面する部分から振動膜９のヨーク１０とは反対側へ向けて突出する筒状をなすとともに、スピーカ２によって発音された音を使用者の耳における外耳道１００に伝搬させるための音通筒体６０と、ケース３の外周部を支持可能に覆い部５０の内周からヨーク１０の振動膜９とは反対側へ向けて突出する環状をなす環状凸部７０と、を備える。
この構成によれば、覆い部５０によってケース３の外周全体が覆われるため、イヤピース５の使用時（耳へのイヤピース５の装着時）、イヤピース５の耳当たりがソフトになる。加えて、覆い部５０が使用状態で耳珠１０２から対珠１０３に向けて延びる長円形状を有するため、覆い部５０の長軸端部を耳珠１０２側および対珠１０３側で支持しやすい。したがって、装着安定性を向上することができる。
加えて、コード４０の縦方向の振動ノイズ（コード４０を長手方向に擦ることにより発生するノイズ）およびコード４０の横方向の振動ノイズ（コード４０を振って服などに当たることにより発生するノイズ）を含めてコード４０から伝わるノイズを６〜１２ｄＢ（１／２〜１／４）ほど低減することができる。
加えて、ケース３の外周部を支持可能に覆い部５０の内周からヨーク１０の振動膜９とは反対側へ向けて突出する環状をなす環状凸部７０を備えることで、以下の効果を奏する。
環状凸部７０によってケース３の外周全体が支持されるため、ケース３と環状凸部７０との間に隙間が生じることを抑制することができ、音漏れを抑制することができる。
加えて、覆い部が長円形状を有することで、装着安定性の面で楕円形状よりも若干有利になる場合がある。
【００７２】
上記実施形態では、音通筒体６０の先端部から覆い部５０へ向けて折り返された折り返し部８０を備え、折り返し部８０は、外耳道１００に挿入可能なチューリップ型の形状を有することで、以下の効果を奏する。
イヤピース５の使用時、折り返し部８０が耳に柔軟に接触するため、装着安定性をより一層向上することができる。加えて、折り返し部８０によって外耳道１００が閉塞されるため、耳の外側の空間から外耳道１００を封止することができる。
【００７３】
上記実施形態では、音通筒体６０は、折り返し部８０が連結される第１音通部６１と、覆い部５０において振動膜９に面する部分と折り返し部８０と離反させるように第１音通部６１と覆い部５０とを連結する第２音通部６２と、を備えることで、以下の効果を奏する。
通常のイヤピースは音通筒体に外す方向の力が加わった場合、動作点（力が作用する点）と固定点（音通筒体の基端）との距離が近く、イヤピースが外れ易い傾向にある。これに対しこの構成によれば、第２音通部６２の長さ分だけ動作点と固定点との距離が長いため、イヤピース５を外れ難くすることができる。加えて、イヤピース５の使用時、第２音通部６２の長さ分だけ第１音通部６１を外耳道１００の奥へ入り込ませることができるため、外部雑音の侵入を抑制することができる。
【００７４】
上記実施形態では、第１音通部６１は円筒状を有し、第１音通部６１の外径Ｄ１は６ｍｍ未満であり、第１音通部６１の軸長さＬ１は６ｍｍ以上であり、外径Ｄ１と軸長さＬ１との比Ｄ１／Ｌ１は１未満であることで、以下の効果を奏する。
第１音通部６１の外径が６ｍｍ以上の場合と比較して、第１音通部６１を外耳道１００へ挿入し易くすることができる。加えて、第１音通部６１の軸長さが６ｍｍ未満の場合と比較して、第１音通部６１を外耳道１００へ挿入する際の柔軟性を高めることができる。加えて、比Ｄ１／Ｌ１が１以上の場合と比較して、第１音通部６１を外耳道１００へ挿入する際の容易性および柔軟性を高めることができる。加えて、長時間使用した場合の外耳道１００への圧迫感による痛みの軽減に効果がある。
【００７５】
上記実施形態では、第２音通部６２は、第１音通部６１に連結される第１連結端部６２ａと、覆い部５０に連結される第２連結端部６２ｂと、を備え、第２連結端部６２ｂは、第１連結端部６２ａの外径よりも大きい外径を有し、第２音通部６２は、第１連結端部６２ａから第２連結端部６２ｂに近づくに従って漸次拡径していることで、以下の効果を奏する。
イヤピース５の使用時、第１音通部６１を外耳道１００の奥へ入り込ませつつ、第２音通部６２を外耳道１００の入口近傍の広い範囲で介在させることができるため、外部雑音の侵入を抑制することができる。
【００７６】
上記実施形態では、覆い部５０は、音通筒体６０に連なるようにケース３の外周近傍に形成され、音通筒体６０とは反対側の部分において、ケース３とは反対側に向けて凸の湾曲状をなすとともに、耳珠１０２に当接するための耳珠当接部５１を備えることで、以下の効果を奏する。
イヤピース５の使用時、耳珠当接部５１を耳珠１０２に広い範囲で接触させやすいため、形状的に耳珠部に固定しやすく、装着安定性を向上することができる。例えば、イヤピース５が弾性材料で形成されている場合、耳への圧迫を抑え且つ滑りにくいため、装着安定性を更に向上することができる。
【００７７】
上記実施形態では、覆い部５０は、ケース３を挟んで耳珠当接部５１とは反対側に形成され、ケース３とは反対側に向けて凸の湾曲状をなして膨出するとともに、対珠１０３に連なる耳甲介１０４に当接するための耳甲介当接部５２を更に備えることで、以下の効果を奏する。
イヤピース５の使用時、耳珠当接部５１を耳珠１０２に当接させつつ、耳甲介当接部５２を耳甲介１０４に広い範囲で接触させやすいため、装着安定性を更に向上することができる。
【００７８】
上記実施形態では、軸線Ｃ１に沿う方向から見て、略長円形状を有する覆い部５０の長軸の長さＨ１は、１５．５ｍｍ以上１７．５ｍｍ以下であることで、以下の効果を奏する。
略長円形状を有する覆い部５０の長軸の長さＨ１が１５．５ｍｍ未満または１７．５ｍｍ超過の場合と比較して、装着安定性をより一層向上することができる。加えて、一般的な耳甲介腔１０１の大きさに合うため、耳甲介腔１０１の隙間を可及的に小さくすることができる。そのため、イヤピース５が外耳道１００から抜けにくくなり、密閉状態を持続することができる。
【００７９】
上記実施形態では、覆い部５０、音通筒体６０および環状凸部７０は、同一の弾性材料で一体に形成されていることで、以下の効果を奏する。
イヤピース５の使用時、耳珠１０２、対珠１０３および耳甲介１０４の形状に沿うようにイヤピース５を弾性変形させることができるため、装着安定性をより一層向上させることができる。加えて、覆い部５０、音通筒体６０および環状凸部７０が別個に形成されている場合と比較して、イヤピース５の製造効率を向上することができる。
【００８０】
上記実施形態では、弾性材料は、シリコーンゴムであることで、以下の効果を奏する。
シリコーンゴムは、生体適合性、耐熱性、耐薬品性、撥水性、電気絶縁性などに優れているため、弾性材料として好適である。
【００８１】
上記実施形態におけるイヤホン１は、振動膜９と、振動膜９を支持するヨーク１０と、を有し、振動膜９の振動によって発音するスピーカ２と、スピーカ２を収容するケース３と、上記のイヤピース５と、を備える。
この構成によれば、装着安定性を向上することができるイヤホン１を提供することができる。加えて、コード４０から伝わるノイズを低減するとともに、音漏れを抑制することができる。
【００８２】
上記実施形態では、ケース３は、ケース３において振動膜９に面する部分から振動膜９のヨーク１０とは反対側へ向けて突出する筒状をなすとともに、音通筒体６０の基端部を支持するステム２２を備えることで、以下の効果を奏する。
ステム２２によって音通筒体６０の基端部をしっかりと支持することができるため、耳へのイヤピース５の装着時に音通筒体６０の基端部が曲がることを抑制することができる。したがって、装着安定性をより一層向上することができる。
【００８３】
上記実施形態では、イヤピース５は、ケース３に着脱可能に装着されるための開口部７１を有し、軸線Ｃ１に沿う方向から見て、開口部７１はケース３の外形よりも小さいことで、以下の効果を奏する。
イヤピース５の開口部７１とケース３とが密着するため、音漏れの原因となる隙間が生じることを抑制することができる。
【００８４】
＜変形例＞
上記実施形態では、覆い部５０が使用状態で軸線Ｃ１に沿う方向から見て使用者の耳甲介腔１０１に面する耳珠１０２から対珠１０３に向けて延びる長円形状を有する例を挙げて説明したが、これに限らない。例えば、覆い部５０は、使用状態で軸線Ｃ１に沿う方向から見て使用者の耳甲介腔１０１に面する耳珠１０２から対珠１０３に向けて延びる楕円形状を有してもよい。
【００８５】
上記実施形態では、イヤピース５全体が弾性材料で形成されている例を挙げて説明したが、これに限らない。例えば、イヤピース５の表面等、イヤピース５の一部（耳に接触する部分のみ）が弾性材料で形成されていてもよい。
【００８６】
上記実施形態では、弾性材料がシリコーンゴムである例を挙げて説明したが、これに限らない。例えば、弾性材料は、ウレタンゴム、フッ素ゴム等のシリコーンゴム以外のゴムであってもよい。
【００８７】
上記実施形態では、折り返し部８０が音通筒体６０と同一の弾性材料で一体に形成されている例を挙げて説明したが、これに限らない。例えば、折り返し部８０は、イヤーチップとして音通筒体６０に着脱可能に取り付けられていてもよい。
【００８８】
上記実施形態では、イヤピース５がケース３に着脱可能に装着される例を挙げて説明したが、これに限らない。例えば、イヤピース５は、ケース３に接着剤などで固定されていてもよい。
【００８９】
上記実施形態では、音通筒体６０が第１音通部６１と第２音通部６２とを備える例を挙げて説明したが、これに限らない。例えば、耳の小さい人向け用に音通筒体を短くする場合等には、音通筒体６０は第２音通部６２を有しなくてもよい。
【００９０】
上記実施形態では、ステム２２がカバー本体２１から離れるに従って漸次縮径している例を挙げて説明したが、これに限らない。例えば、音通筒体６０の基部をしっかりと支持する観点等から、ステム２２は漸次縮径していなくてもよい。例えば、耳の小さい人向け用に音通筒体を短くする場合等には、ケース３はステム２２を有しなくてもよい。
【００９１】
上記実施形態では、左耳用のイヤホン１を挙げて説明したが、これに限らない。右耳用のイヤホンについても本発明を適用可能である。例えば、左耳用のイヤホンと右耳用のイヤホンとを、左右対称構造（左右勝手違い部品）とすることで対応可能である。
【００９２】
上記実施形態では、第１音通部６１が第１音通部６１の延在方向と直交する断面視で真円形状を有する例（図７参照）を挙げて説明したが、これに限らない。例えば、図１３に示すように、第１音通部１６１は、第１音通部１６１の延在方向と直交する断面視で楕円形状を有してもよい。楕円形状を有する第１音通部１６１の長軸方向は、長円形状を有する覆い部５０の長軸方向と実質的に直交している。楕円形状を有する第１音通部１６１の断面積は、２８．３ｍｍ２未満である。例えば、折り返し部１８０は、第１音通部１６１の延在方向と直交する断面視で楕円形状を有してもよい。楕円形状を有する折り返し部１８０の長軸方向は、楕円形状を有する第１音通部１６１の長軸方向と実質的に平行である。
この構成によれば、第１音通部６１が断面視で真円形状を有する場合と比較して、装着安定性をより一層向上することができる。第１音通部１６１が断面視で楕円形状を有する場合、一般的な外耳道１００の形状に合うため、外耳道１００への圧迫感を軽減することができる。
なお、第１音通部６１が断面視で楕円形状を有する場合、上記の断面積２８．３ｍｍ２未満を優先し、楕円の直径は６ｍｍ以上であってもよい。
【００９３】
＜第２実施形態＞
第１実施形態では、ケース３は、スピーカ２を振動膜９の側から覆う第１カバー２０と、スピーカ２をヨーク１０の側から覆う第２カバー３０と、を備え、第１カバー２０と第２カバー３０とが固定されている場合について説明したが、これに限らない。第２実施形態は、ケースの構成が上記第１実施形態と異なる。第２実施形態において上記第１実施形態と同様の構成については同一の符号を付し、その詳細説明は省略する。
【００９４】
図１４は、第２実施形態に係るイヤホンの図５に相当する断面図である。
図１４に示すように、ケース２０３は、スピーカ２を振動膜９の側から覆う第１カバー２２０と、スピーカ２をヨーク１０の側から覆う第２カバー３０と、を備える。第１カバー２２０は、ケース２０３の内周側に位置する内ケース２２１と、内ケース２２１に対し軸線Ｃ１の周りに相対的に回転可能に内ケース２２１の外周部を支持する外ケース２２２と、を備える。
【００９５】
内ケース２２１は、スピーカ２の外周部を支持する筒状の内筒体２２１ａと、内筒体２２１ａにおいて第２カバー３０とは反対側の端部から径方向外側に突出する環状の鍔部２２１ｂと、を備える。内筒体２２１ａにおいて鍔部２２１ｂとは反対側の端部は、第２カバー３０に接着剤などで固定されている。
【００９６】
外ケース２２２は、スピーカ２の外周全体を径方向外側から覆う外カバー体２２２ａと、外カバー体２２２ａにおいて振動膜９に面する部分から振動膜９のヨーク１０とは反対側へ向けて突出する筒状をなすステム２２２ｂと、を備える。外カバー体２２２ａの内周部には、鍔部２２１ｂを軸線Ｃ１の周りに回転可能に支持する凹部２２２ｃが形成されている。
【００９７】
このような構成により、第２カバー３０は、内ケース２２１を介して外ケース２２２に対し軸線Ｃ１の周りに相対回転可能とされている。すなわち、第２カバー３０は、保持筒体４と共にイヤピース５に対して軸線Ｃ１の周りに相対回転可能である（図１５参照）。図１５においては、保持筒体４を軸線Ｃ１の周りに紙面下方位置（二点鎖線）から紙面左上方位置（実線）に回転させた例を示す。
【００９８】
第２実施形態では、ケース２０３は、ケース２０３の内周側に位置する内ケース２２１と、内ケース２２１に対し軸線Ｃ１の周りに相対的に回転可能に内ケース２２１の外周部を支持する外ケース２２２と、を備えることで、以下の効果を奏する。
内ケース２２１と外ケース２２２とを任意の角度で回転させることができるため、ケース２０３に設けられている保持筒体４（コード出口部）を任意の角度で設定することができる。そのため、図１６、図１７に示すように、使用者の耳に対してコード４０を下側に出したり、耳たぶに掛けたりする等、任意の使用方法に対応することが可能となる。加えて、耳の形状の個人差に対応することが可能となる。例えば、コード４０を耳たぶに掛けて使用する場合、コード４０の振動ノイズは縦方向および横方向とも大幅に減少することが知られているが、使い勝手が悪くなることがある。このように使用者の好みに応じて容易に使い分けが可能である。
【００９９】
なお、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、組み合わせ、変更が可能である。上記実施形態とその変形は、発明の範囲と発明の要旨に含まれると同様に、特許請求の範囲に記載された発明とその均等の範囲に含まれるものである。
【符号の説明】
【０１００】
１  イヤホン
２  スピーカ
３  ケース
５  イヤピース（フルカバー式イヤピース）
９  振動膜
１０  ヨーク
２２  ステム
５０  覆い部
５１  耳珠当接部
５２  耳甲介当接部
６０  音通筒体
６１  第１音通部
６２  第２音通部
６２ａ  第１連結端部
６２ｂ  第２連結端部
７０  環状凸部
７１  開口部
８０  折り返し部
１００  外耳道
１０１  耳甲介腔
１０２  耳珠
１０３  対珠
１０４  耳甲介
１６１  第１音通部
１８０  折り返し部
２０３  ケース
２２０  第１カバー
２２１  内ケース
２２２  外ケース
Ｃ１  ヨークの軸線
Ｄ１  第１音通部の外径
Ｈ１  覆い部の長軸の長さ
Ｌ１  第１音通部の軸長さ
【図１】
2020213029.tif 000003
【図２】
2020213029.tif 000004
【図３】
2020213029.tif 000005
【図４】
2020213029.tif 000006
【図５】
2020213029.tif 000007
【図６】
2020213029.tif 000008
【図７】
2020213029.tif 000009
【図８】
2020213029.tif 000010
【図９】
2020213029.tif 000011
【図１０】
2020213029.tif 000012
【図１１】
2020213029.tif 000013
【図１２】
2020213029.tif 000014
【図１３】
2020213029.tif 000015
【図１４】
2020213029.tif 000016
【図１５】
2020213029.tif 000017
【図１６】
2020213029.tif 000018
【図１７】
2020213029.tif 000019
【国際調査報告】
2020213029.tif 000020
2020213029.tif 000021